(57)【要約】【課題】専用のレンズバリアが不要になる上、通常の撮影時においてはコンパクトな態様での使用が可能なカメラ及びカメラシステムを提供。【解決手段】カメラ本体１０と、前記カメラ本体１０の前面に設けられた撮影レンズ１１と、前記撮影レンズ１１を通して得られる撮影画像を表示する画像表示装置２０と、前記画像表示装置２０を前記カメラ本体１０の前面側にある前面位置と背面側にある背面位置との間を移動させる移動手段３０とを備え、前記画像表示装置２０は、前記前面位置に移動したときは、表示面２１を前記カメラ本体１０の前面１０aに対向させて前記撮影レンズ１１を覆うように配置され、前記背面位置に移動したときは、当該表示面２１を露出させるような向きに配置されることを主たる特徴としている。【選択図】      図７
2005176290.tif 000002
【特許請求の範囲】
【請求項１】
カメラ本体と、
前記カメラ本体の前面に設けられた撮影レンズと、
前記撮影レンズを通して得られる撮影画像を表示する画像表示装置と、
前記画像表示装置を前記カメラ本体の前面側にある前面位置と背面側にある背面位置との間を移動させる移動手段とを備え、
前記画像表示装置は、前記前面位置に移動したときは、表示面を前記カメラ本体の前面に対向させて前記撮影レンズを覆うように配置され、前記背面位置に移動したときは、表示面を露出させるような向きに配置されることを特徴とするカメラ。
【請求項２】
前記移動手段は、前記画像表示装置を、前記前面位置と前記背面位置との間を略３６０°の角度範囲にわたり回動させると共に、前記画像表示装置の上端面のカメラ本体底面からの高さが、前記カメラ本体の前面位置と背面位置とで略同一の高さとなるように位置設定する手段を備えていることを特徴とする請求項１に記載のカメラ。
【請求項３】
前記移動手段は、前記画像表示装置を、前記前面位置と前記背面位置との間を略３６０°の角度範囲にわたり回動させると共に、前記画像表示装置の上端面が、前記カメラ本体の前面位置及び背面位置の何れにおいても、前記カメラ本体の上面と外観的に連続するように設定する手段を備えていることを特徴とする請求項１に記載のカメラ。
【請求項４】
前記カメラ本体の前面位置にある前記画像表示装置の外観面が、前記カメラ本体の側面に設けられたグリップ部の外観面と連続するように設けられていることを特徴とする請求項１から請求項３のいずれか１項に記載のカメラ。
【請求項５】
前記移動手段は、前記カメラ本体の底部に備えられたことを特徴とする請求項１から請求項４のいずれか１項に記載のカメラ。
【請求項６】
前記移動手段は、前記カメラ本体の底部を経由して、前記画像表示装置を、前記前面位置と前記背面位置との間を略３６０°の角度範囲にわたり回動させる手段を備えていることを特徴とする請求項５に記載のカメラ。
【請求項７】
前記移動手段は、前記カメラ本体の幅方向と平行な軸を中心として回動可能に設けられ、一端部が前記カメラ本体に回動可能に軸支され、他端部が前記画像表示装置に回動可能に軸支された連結部材を備えたものであることを特徴とする請求項５に記載のカメラ。
【請求項８】
前記連結部材は、前記カメラ本体と当該カメラ本体に付加されるアクセサリとを電気的に接続するための接続手段を備えていることを特徴とする請求項７に記載のカメラ。
【請求項９】
前記接続手段は、前記画像表示装置が前記前面位置にあるとき、前記カメラ本体の底面に対向し、前記画像表示装置が前記背面位置にあるとき、前記カメラ本体の外部に露出する前記連結部材の一面に設けられていることを特徴とする請求項８に記載のカメラ。
【請求項１０】
前記接続手段は、前記画像表示装置が前記前面位置にあるときに遮蔽され、前記画像表示装置が前記背面位置にあるときには露出されるように前記カメラ本体の表面部分に設けられていることを特徴とする請求項８に記載のカメラ。
【請求項１１】
前記移動手段によって変化する前記画像表示装置の位置に応じて、前記カメラ本体のカメラ動作を制御する制御手段を備えたことを特徴とする請求項１から請求項１０のいずれか１項に記載のカメラ。
【請求項１２】
前記制御手段は、前記画像表示装置の姿勢に応じて、前記撮影レンズの前記カメラ本体前方への繰り出し動作を制御する手段を含むことを特徴とする請求項１１に記載のカメラ。
【請求項１３】
前記制御手段は、前記画像表示装置の姿勢に応じて、前記画像表示装置に表示される表示画像の向きを制御する手段を含むことを特徴とする請求項１１に記載のカメラ。
【請求項１４】
前記制御手段は、前記カメラ本体に対する前記連結部材の回動角および前記連結部材に対する前記画像表示装置の回動角に基づいて前記画像表示装置の姿勢を検知する検知手段と、この検知手段で検知された姿勢に応じて前記カメラ本体の動作を制御する手段とを含むことを特徴とする請求項１１に記載のカメラ。
【請求項１５】
前記画像表示装置の表示面が設けてある面に、操作部材が配置されていることを特徴とする請求項１から請求項１４のいずれか１項に記載のカメラ。
【請求項１６】
前記移動手段は、前記カメラ本体の側面に備えられ、前記画像表示手段を前記カメラ本体の底面に垂直な軸を回動中心として回動させる如く設けられていることを特徴とする請求項１から請求項１４のいずれか１項に記載のカメラ。
【請求項１７】
前記移動手段は、一端部が前記カメラ本体に対し当該カメラ本体の底面に垂直な軸を中心として回動可能な如く軸支された第１の連結部材と、一端部が上記第１の連結部材の他端に対し前記カメラ本体の底面に垂直な軸を中心として回動可能な如く軸支された第２の連結部材とを備え、前記第２の連結部材の他端部に、前記画像表示装置を前記カメラ本体の底面に平行な軸を中心として回動可能に軸支する手段を備えていることを特徴とする請求項１６に記載のカメラ。
【請求項１８】
カメラと、このカメラを載置して当該カメラと電気的な接続がなされるアクセサリとからなるカメラシステムにおいて、
前記カメラは、カメラ本体と、このカメラ本体の前面に設けられた撮影レンズと、この撮影レンズを通して得られる撮影画像を表示する画像表示装置と、一端部が前記カメラ本体に対し回動可能に軸支され、他端部が前記画像表示装置に対し回動可能に軸支された連結部材を介して、前記画像表示装置を前記カメラ本体の前面位置と前記カメラ本体の背面位置との間を移動させる移動手段とを備え、
前記移動手段における前記連結部材は、前記アクセサリに接続を行なうためのカメラ側の接続手段を備えていることを特徴とするカメラシステム。
【請求項１９】
前記カメラ本体の側部には、
一方の面が前記カメラ本体の前面位置にある前記画像表示装置に隣接し、当該画像表示装置の前記前面位置から前記カメラ本体の背面位置への移動によって前記隣接する面が開放され把持可能な状態となるグリップ部が備えられている、
ことを特徴とする請求項１に記載のカメラ。
【発明の詳細な説明】
【技術分野】
【０００１】
本発明は、撮影者の撮影姿勢に応じて、その姿勢を適宜変更可能な画像表示装置を備えたカメラ及びそのカメラを備えたカメラシステムに関する。
【背景技術】
【０００２】
一般に、デジタルカメラにおいては、撮影画像をモニター可能なＣＣＤなどからなる画像表示装置を備えている。この画像表示装置は通常の場合、カメラ本体の背面位置に固定化されている。このため撮影者が、ローアングル撮影、ハイアングル撮影、自分撮り撮影、などの撮影姿勢をとった場合、撮影画面を確認することが困難な場合が生じる。
【０００３】
このような不具合を改善したカメラとして、カメラ本体とＬＣＤ等からなる画像表示装置とを回動機構等を介して結合することにより、画像表示装置の向きを撮影姿勢に応じて適宜変更可能に構成されたカメラが提案されている。（特許文献１，２参照）
一方、画像表示装置をレンズバリアに兼用したカメラが提案されている。このカメラの画像表示装置は、非使用時においてはレンズバリアとして撮影レンズ前面に位置し、撮影時にはカメラ本体の上部に起立した状態になる。（特許文献３参照）
【特許文献２】特開平０８−００９２１３号公報
【特許文献１】特開平０４−１００３８２号公報
【特許文献３】特開平１１−２５８６５７号公報
【発明の開示】
【発明が解決しようとする課題】
【０００４】
特許文献１，２に記載のカメラでは、画像表示装置をカメラ本体に結合するための回動機構が、外部から容易に視認可能な箇所に設けられている。すなわち、特許文献１の場合はカメラ本体の上端面に設けられており、特許文献２の場合はカメラ本体の背面に設けられている。このような構成では、回動機構の存在が、カメラとしてデザイン上の制限を招き易い。
【０００５】
特許文献３に記載のカメラは、専用のレンズバリアを必要としない利点を有する。しかし特許文献３に示されている画像表示装置は、撮影レンズ保護位置における第１の姿勢とカメラ本体上部位置における第２の姿勢との二姿勢しか採りえない。したがって撮影姿勢によっては撮影画面を確認することが困難な場合が生じる。また通常の撮影時において画像表示装置がカメラ本体の上部位置へ反転起立した状態になる。このため通常の撮影時において従来のようにコンパクトな態様で使用することができない。
【０００６】
本発明の目的は、専用のレンズバリアが不要になりカメラの小型化に寄与する上、通常の撮影時においては従来同様にコンパクトな態様で使用でき、外観制限を招くおそれのないカメラ及びカメラシステムを提供することにある。
【課題を解決するための手段】
【０００７】
上記目的を達成するために、本発明のカメラ及びカメラシステムは、下記のような特徴ある構成を有している。なお下記以外の本発明の特徴ある構成については実施形態の中で明らかにする。
【０００８】
（１）本発明のカメラは、カメラ本体と、前記カメラ本体の前面に設けられた撮影レンズと、前記撮影レンズを通して得られる撮影画像を表示する画像表示装置と、前記画像表示装置を前記カメラ本体の前面側にある前面位置と背面側にある背面位置との間を移動させる移動手段とを備え、前記画像表示装置は、前記前面位置に移動したときは、表示面を前記カメラ本体の前面に対向させて前記撮影レンズを覆うように配置され、前記背面位置に移動したときは、表示面を露出させるような向きに配置されることを特徴としている。
【０００９】
（２）本発明のカメラシステムは、カメラと、当該カメラを載置しこのカメラと電気的な接続がなされるアクセサリとからなるカメラシステムにおいて、前記カメラは、カメラ本体と、このカメラ本体の前面に設けられた撮影レンズと、この撮影レンズを通して得られる撮影画像を表示する画像表示装置と、一端が前記カメラ本体に対し回動可能に軸支され、他端が前記画像表示装置に対し回動可能に軸支された連結部材を介して、前記画像表示装置を前記カメラ本体の前面位置と前記カメラ本体の背面位置との間を移動させる移動手段とを備え、前記移動手段における前記連結部材は、前記アクセサリに接続されるカメラ側の接続手段を備えていることを特徴としている。
【発明の効果】
【００１０】
本発明の画像表示装置は、通常の撮影時においては、カメラ本体の背面位置にある。したがって従来同様にコンパクトな態様で使用できる。また撮影者の撮影姿勢に応じて、その姿勢を所望の姿勢に適宜変更することも可能である。したがって撮影者の撮影姿勢の如何に拘らず、表示画像を確認しながらの「視認撮影」を行なうことも可能となる。さらに非撮影時には、画像表示装置の表示面が撮影レンズを外側から覆った状態で収められる。したがって専用のレンズバリアが不要になり、カメラの小型化に寄与する。
【発明を実施するための最良の形態】
【００１１】
（第１実施形態）
図１の（ａ）（ｂ）（ｃ）は本発明の第１実施形態に係るカメラの構成(画像表示装置をカメラ本体の前面位置から下方へ移動した状態)を示す図で、（ａ）は上面図、（ｂ）は正面図、（ｃ）はカメラ正面から見て右側面を一部破断して示す右側面図である。なお以下の説明ではカメラの左右はカメラ正面から見た場合を指すものとする。
【００１２】
図２は本発明の第１実施形態に係るカメラの構成(画像表示装置をカメラ本体の前面位置にセットした状態)を示す正面図、図３は同実施形態に係るカメラの構成(画像表示装置をカメラ本体の背面位置にセットした状態)を示す背面図である。
【００１３】
図１の（ａ）（ｂ）（ｃ）、図２、及び図３において、カメラ本体１０はいわゆるデジタルカメラであって、その前面１０ａの上部中央には、いわゆる沈胴式の撮影レンズ１１が設けられている。撮影レンズ１１の右隣すなわちカメラ本体前面１０ａの上部右端にはストロボ発光器１２が配置されている。カメラ本体前面１０ａの左端部位は、撮影者が撮影時に掴み持ついわゆるグリップ部１３となっている。カメラ本体１０の上面１０ｃには、レリーズボタン１４、ズーム用回転レバー１５、マイクロホン１６、スピーカ１７などが配設されている。カメラ本体１０の背面１０ｂには、操作ボタン類１８、表示画面スクロール用ダイヤル１９などが配設されている。
【００１４】
画像表示装置２０は、撮影レンズ１１を通して得られる撮影画像を表示面２１にモニター画像として表示可能に設けられている。この画像表示装置２０の表示面２１が設けてある面には、画像を上下反転させて表示するための表示ボタン２２等を含む操作部材が配置されている。なお符号２３は、表示面２１がカメラ本体１０に直接接触するのを避けるために表示面２１より若干突出した態様で形成された当接部である。
【００１５】
画像表示装置２０は、カメラ本体１０の底部１０ｄに備えられている移動手段３０により、カメラ本体１０の前面側に予め定めた前面位置と、カメラ本体１０の背面側に予め定めた背面位置との間を自由に移動し得るものとなっている。
【００１６】
図２に示すように、画像表示装置２０がカメラ本体１０の前面位置に移動したときは、表示面２１は前記カメラ本体１０の前面１０aに対向し、撮影レンズ１１を覆うような態様に配置される。この状態において画像表示装置２０はレンズバリアとしての機能を発揮する。この状態は、非撮影時、例えば再生時や携帯時のカメラの状態である。
【００１７】
図３に示すように、画像表示装置２０がカメラ本体１０の背面位置に移動したときは、表示面２１はカメラ背面側に露出した状態に配置される。この状態において画像表示装置２０は通常の撮影時における画像確認用モニターとしての機能を発揮可能となる。
【００１８】
図１の（ａ）（ｂ）（ｃ）に示すように、移動手段３０は、カメラ本体１０と画像表示装置２０とを回動可能に連結する直方体状をなす連結部材３１を備えている。この連結部材３１は、その一端部及び他端部に、カメラ本体１０の横幅方向と平行な一対の軸ＡＸ１、ＡＸ２を有している。上記一方の軸ＡＸ１を介してカメラ本体１０底部と連結部材３１の一端部とが回動可能に軸支されている。また上記他方の軸ＡＸ２を介して画像表示装置２０の基端部と連結部材３１の他端部とが回動可能に軸支されている。かくして画像表示装置２０は、移動手段３０によりカメラ本体１０の底部１０ｄを経由して、カメラ本体１０の前面位置と背面位置との間を略３６０°の角度範囲にわたり回動可能となっている。
【００１９】
上記一方の軸ＡＸ１の近傍には、姿勢検知手段である後述する第１のエンコーダーが設けられている。また上記他方の軸ＡＸ２の近傍には、同じく姿勢検知手段である後述する第２のエンコーダーが設けられている。第１のエンコーダーは、前記カメラ本体１０に対する前記連結部材３１の回動角αを検出し、第２のエンコーダーは前記連結部材３１に対する前記画像表示装置２０の回動角βを検出し、その検出情報を後述する制御手段１２０に送りカメラ動作制御を行なわしめる。これらの点についての詳細は後述する。
【００２０】
図２に示すように、画像表示装置２０が、移動手段３０によりカメラ本体１０の前面位置に移動したときの当該装置２０の上端面の高さ（カメラ本体底面１０ｄからの高さ）Ｈ１と、図３に示すように、画像表示装置２０が、移動手段３０によりカメラ本体１０の背面位置に移動したときの当該装置２０の上端面の高さ（カメラ本体底面１０ｄからの高さ）Ｈ２とは、略同一の高さＨ（Ｈ１≒Ｈ２）となるように設定されている。また前記画像表示装置２０がカメラ本体１０の前面位置にセットされたときの上端部は、カメラ本体１０の上面１０Ｃにおける前端部と外観的に連続するように設定されている。また前記画像表示装置２０がカメラ本体１０の背面位置にセットされたときの上端部は、カメラ本体１０の上面１０Ｃにおける後端部と外観的に連続するように設定されている。さらにカメラ本体１０の前面位置にある画像表示装置２０の左端部は、カメラ本体１０の左端部位に設けられたグリップ部１３の右端部と外観的に連続するように設定されている。
【００２１】
従って、図２に示すように、画像表示装置２０がカメラ本体１０の前面位置にセットされた位置においては、画像表示位置２０がグリップ部１３の右側面に隣接し、グリップ部１３の前面側と画像表示装置２０の表示面２１が設置された面の逆の面によってカメラの前面外観が構成される。
【００２２】
そして、図３に示すように、画像表示装置２０がカメラ１０の背面位置にセットされた位置においては、グリップ部１３の側面から画像表示装置２０が離れて、グリップ部１３の隣接した右側面が開放されるので、グリップ部１３がカメラ１０から前方に突出した形態になる。これで把持可能な状態になり、グリップ部１３が、図１３に示すように、撮影者の右手（点線）で把持される。これによって、画像表示装置２０を回動可能にしても、カメラ撮影時の安定性が確保される。
【００２３】
そして、このような把持が確実になされるように、第１実施形態のカメラでは、カメラ本体１０に対する画像表示装置２０の幅方向の寸法を、カメラ本体左側部がグリップに適した形状で残るような寸法にしている。カメラ本体に残る部分の寸法が適切でなく、例えば、画像表示装置２０の幅がカメラ本体前面に等しく設定されると、当然把持部分がなくなり、逆に画像表示装置２０の幅が狭いと、把持部分の幅が広すぎて指で掴みづらくなる。
【００２４】
また、グリップ部形状に関しては、第１実施形態の形状に限ることなく色々な変形例が可能である。例えば、グリップ部１３と画像表示装置２０との合わせ部１３ａは、カメラ正面から見て直線になるように第１実施形態では構成しているが、さらに把持しやすいような形状にすることも可能である。
【００２５】
図１４、１５は第１実施形態の変形例を示す図であり、特にグリップ部１３の合わせ部の形状に関する変形例で、第１実施形態との共通部分は共通符号を付している。
【００２６】
図１４は、第１実施形態の変形例１に係るカメラ本体の正面図であって、同図（ａ）が画像表示装置２０を前面位置にセットした状態を示し、同図（ｂ）が画像表示装置２０を開放した位置の状態を示す。また、同図（ｃ）は（ａ）におけるカメラ本体の上面図を示す。
【００２７】
本変形例１では、グリップ部１３の合わせ部１３ｂを、正面から見てグリップ１３の幅寸法を途中で変えて上部で狭く下部で広がるような形状にしている。合わせ部分１３ｂが直線であるよりも、さらに把持しやすいグリップ形状である。なお、第１実施形態と同様に、画像表示装置２０を前面位置にセットした状態では、画像表示装置２０がグリップ部１３と連続した形状になってカメラ外観を構成している。
【００２８】
図１５は、第１実施形態の変形例２に係るカメラ本体の正面図であって、同図（ａ）が画像表示装置２０を前面位置にセットした状態を示し、同図（ｂ）が画像表示装置２０を開放した位置の状態を示す。また、同図（ｃ）はカメラ本体の上面図を示す。
【００２９】
本変形例２では、上記の変形例１と同様に、グリップ部１３の合わせ部分１３ｃをグリップの幅寸法を上部で狭く下部で広がるようにしているが、合わせ部分１３ｃを連続した曲線で形成するようにして、把持しやすいグリップ形状にしている。上記と同様に、画像表示装置２０を前面位置にセットした状態では、画像表示装置２０がグリップ部１３と連続した形状になってカメラ外観を構成している。
【００３０】
前記連結部材３１には、カメラ本体１０をカメラスタンド等のコネクタに対し、電気的に接続するための接続手段としてコネクタ３２が設けられている。このコネクタ３２は、画像表示装置２０がカメラ本体１０の前面位置にあるときは、カメラ本体１０の底面１０ｄに対向する。従って、この状態ではコネクタ３２は外部に露出しない。そして画像表示装置２０がカメラ本体１０の背面位置にあるときは、カメラ本体１０の外部に露出する。
【００３１】
図４は本実施形態のカメラ４０（カメラ本体１０＋画像表示装置２０＋移動手段３０）をアクセサリとしてのカメラスタンド５０に適時載置し得るように構成したカメラシステムＣＳを示す斜視図である。同図（ａ）はカメラ４０をカメラスタンド５０に載置する直前の状態を示し、同図（ｂ）はカメラ４０をカメラスタンド５０に載置した状態を示している。
【００３２】
図４に示すように、カメラスタンド５０は、カメラ載置部５１上に、カメラ側の連結部材３１に設けられているコネクタ３２と結合するコネクタ５２を備えている。かくして、カメラ４０をカメラスタンド５０のカメラ載置部５１上に載置すると、カメラ側のコネクタ３２と当該コネクタ５２とが同時に結合されて、カメラ４０とカメラスタンド５０との間が電気的に接続される。
【００３３】
５３はスタンド表面上に配設された操作ボタン、５４は電源コードである。なお、カメラスタンド５０の内部には、カメラ本体１０に内蔵されている二次電池を充電するための充電器（不図示）が内蔵されている。
【００３４】
なお、コネクタ３２は移動手段３０の一面に設けた例を示したが、図１３に示すように、移動手段３０の一面以外に設けるようにしても良い。たとえば、グリップ部１３の段差部内側面３２ａ、カメラ本体１０の正面下部３２ｂ、カメラ本体１０の底部３２ｃ等、画像表示装置２０が前面位置にある場合に、画像表示装置２０によって覆われる領域に設けるようにしても良い。こうすることにより、カメラ非使用時にコネクタ３２の保護が有効になされる。
【００３５】
次に、第１実施形態に係るカメラにおける画像表示装置２０のカメラ本体１０に対する相対移動動作につき説明する。なお、動作説明を簡単化するために、カメラ本体１０に対する画像表示装置２０の姿勢（回動角）について、予め次の如く定義付けを行なう事にする。
【００３６】
図５はカメラ本体１０に対する画像表示装置２０の姿勢（回動角）についての定義付け行なうために示した図である。
【００３７】
(1) 矢印で示す図中反時計周り方向を「＋」回動方向とする。
【００３８】
(2) カメラ本体１０に対する連結部材３１の相対移動角度をαとする。ただし連結部材３１がカメラ本体１０の底面へ当接した状態の角度をα＝０°とする。
【００３９】
(3) 連結部材３１に対する画像表示装置２０の相対移動角度をβとする。ただしα＝０°の状態において、画像表示装置２０がカメラ本体１０の前面へ当接した状態の角度をβ＝０°とする。
【００４０】
(4) カメラ本体１０の前面に対する画像表示装置２０の相対移動角度をθとする。ただしθ＝α＋βである。
【００４１】
図６の（ａ）（ｂ）は画像表示装置２０が カメラ本体１０の前面及び背面にそれぞれ当接した状態を示す側面図である。図６の（ａ）の状態は、前記定義付けにしたがえば、α＝０°、β＝０°、θ＝０°と表せる。図６の（ｂ）の状態は、前記定義付けにしたがえば、α＝１８０°、β＝１８０°、θ＝３６０°と表せる。
【００４２】
図７の（ａ）（ｂ）は、撮影時における画像表示装置２０の相対移動を含むカメラ態様を示す図である。なお、図７以下に示す太矢印は、表示面２１による画像の表示方向を示している。図７（ａ）はカメラ本体１０に対する連結部材３１の相対移動角度αを、α＝０°に固定した状態において、画像表示装置２０のみを＋方向へ回動操作した場合の動作状況を示す図である。
【００４３】
Ａ状態（β＝４５°、θ＝４５°）は、画像表示装置２０がカメラ本体１０の前面位置から４５°回動操作され、レンズ繰り出しが可能となった状態である。したがって、このときの画像表示装置２０の角度を「レンズ繰り出し許可角度」と定義する。
【００４４】
Ｂ状態（β＝９０°、θ＝９０°）は、画像表示装置２０がカメラ本体１０の前面位置から９０°回動操作され、撮影レンズ１１の画角１１ｃをけらない位置まで画像表示装置２０が移動して、撮影が可能となった状態である。したがって、このときの画像表示装置２０の角度を「撮影許可角度」と定義する。
【００４５】
Ｃ状態（β＝１３５°、θ＝１３５°）は、画像表示装置２０がカメラ本体１０の前方下方へ１３５°回動操作された状態である。Ｂ状態（β＝９０°、θ＝９０°）からＣ状態（β＝１３５°、θ＝１３５°）までの範囲は、撮影者が７０ａの姿勢にある時のように、ローアングル撮影に適した角度範囲である。したがって、この角度範囲を「ローアングル撮影範囲」と定義する。
【００４６】
Ｄ状態（β＝１８０°、θ＝１８０°）は、画像表示装置２０がカメラ本体１０の前方下方へ１８０°回動操作された状態である。Ｃ状態（β＝１３５°、θ＝１３５°）からＤ状態（β＝１８０°、θ＝１８０°）までの範囲は、撮影者が７０ｂの姿勢にある時のように、自分撮りに適した角度範囲である。したがって、この角度範囲を「自分撮り範囲」と定義する。なお上記Ｄ状態は、連結部材３１に対する画像表示装置２０の＋方向の回動限界を示している。
【００４７】
図７（ｂ）は、連結部材３１に対する画像表示装置２０の相対移動角度βを「β＝１８０°」に固定した状態において、連結部材３１のみを＋方向へ回動操作した場合の動作状況を示す図である。
【００４８】
Ｄ状態（α＝０°、β＝１８０°、θ＝１８０°）は、図７（ａ）に示したＤ状態と全く同じ状態である。
【００４９】
Ｅ状態（α＝４５°、β＝１８０°、θ＝２２５°）は、連結部材３１がカメラ本体１０に対し４５°回動操作された状態である。Ｄ状態（α＝０°、β＝１８０°、θ＝１８０°）からＥ状態（α＝４５°、β＝１８０°、θ＝２２５°）までの範囲は、上述した場合と同様に自分撮りに適した角度範囲である。したがって、この角度範囲を、前記Ｃ状態からＤ状態までの範囲と共に「自分撮り範囲」と定義する。
【００５０】
Ｆ状態（α＝９０°、β＝１８０°、θ＝２７０°）は、連結部材３１がカメラ本体１０に対して９０°回動操作された状態である。Ｅ状態（α＝４５°、β＝１８０°、θ＝２２５°）からＦ状態（α＝９０°、β＝１８０°、θ＝２７０°）までの範囲は、撮影者が７０ｃの姿勢にある時のように、ハイアングル撮影に適した角度範囲である。したがって、この角度範囲を「ハイアングル撮影範囲」と定義する。
【００５１】
Ｇ状態（α＝１８０°、β＝１８０°、θ＝３６０°）は、連結部材３１がカメラ本体１０に対して１８０°回動操作され、画像表示装置２０をカメラ背面に対して当接させた状態である。この状態は、撮影者が７０ｄの姿勢にある時のように、通常の撮影に適した角度である。したがって、この角度を「通常撮影角度」と定義する。
【００５２】
図８（ａ）（ｂ）は、再生時における画像表示装置２０の相対移動を含むカメラ態様を示す図である。同図（ａ）はカメラ背面を下にして机などの置き台６０の上に載置した場合の態様を示している。このときの画像表示装置２０の相対移動角度θは、α＝９０°、β＝４５°となすことにより、θ＝１３５°程度に設定することが好ましい。同図（ｂ）はカメラ前面を下にして机などの置き台６０の上に載置した場合の態様を示している。このときの画像表示装置２０の相対移動角度θは、α＝１３５°、β＝１８０°となすことにより、θ＝３１５°程度に設定することが好ましい。
【００５３】
図９は本実施形態のカメラシステムＣＳの構成を示すブロック図である。このカメラシステムＣＳは、カメラ本体１０と、画像表示装置２０と、連結部材３１を含む移動手段３０と、カメラスタンド５０とを備えている。
【００５４】
カメラ本体１０の撮影レンズ１１を含む撮影光学系１０１で取り込まれた被写体象は撮像素子（例えばＣＣＤ撮像素子）１０２で被写体像に対応する電気信号に変換される。変換された電気信号は、撮像部１０３で画像データに変換される。この画像データはデータバス１１０を介してＤＲＡＭ等からなる一時記憶メモリー１１１へ一時的に記憶される。この一時記憶された画像データは、画像処理部１１２で画像圧縮等の処理がなされた後、着脱自在に装填可能なメモリーカード等の適用を可とする画像記録媒体１１３に格納される。
【００５５】
上記画像記録媒体１１３に格納された画像データは、再生時において上記記録媒体１１３から読み出され、前記画像処理部１１２により画像伸張等の処理がなされた後、前記一時記憶メモリー１１１に一時的に記憶される。そして、上記一時記憶された再生画像データは、表示部ドライバ１１４を介して例えばＬＣＤからなる画像表示部２５へ供給される。この画像表示部２５により所要画像が表示面２１に所定の表示姿勢で表示される。
【００５６】
本実施形態のカメラシステムＣＳは、後述する制御手段を含むＣＰＵ（中央処理装置）１２０を備えている。このＣＰＵ１２０は本体操作部１２１及び表示装置操作部２６からの指令、さらにはカメラ本体１０がカメラスタンド５０に載置されて事を示すコネクタ３２からの結合情報Ｃ等に応じて作動する。ズームモータ１２２ａはＣＰＵ１２０からの制御信号に基づいて撮影レンズ１１のズームレンズ１１ａを光軸に沿って移動させズーミングを行なう。フォーカスモータ１１２ｂはＣＰＵ１２０からの制御信号に基づいて撮影レンズ１１のフォーカスレンズ１１ｂを光軸に沿って移動させ合焦調整を行なう。
【００５７】
カメラがカメラスタンド５０に載置された状態では、端子Ｔ１から供給されるＡＣ電源が充電器５５により変圧整流され、コネクタ５２，３２を介してカメラ本体１０に内蔵されている二次電池１２３に充電電力Ｐとして供給される。このため同電池１２３の充電を行なえる。また前記画像データＤは、ＣＰＵ１２０からコネクタ３２，５２を介してカメラスタンド５０の端子Ｔ２を通して例えば外部のパーソナルコンピュータ等へ転送可能となっている。
【００５８】
ＣＰＵ１２０に含まれている制御手段１２０Ｘは、前記移動手段３０によって変化する画像表示装置２０の姿勢に応じて、カメラ制御を行なう。すなわち移動手段３０における連結部材３１に付設されている姿勢検出手段としての第１のエンコーダー１３１で検出されたカメラ本体１０に対する連結部材３１の相対移動角度αと、連結部材３１に対する画像表示装置２０の相対移動角度βとに応じて、つまりαとβとの和である画像表示装置２０のカメラ本体１０に対する角度θに基づいて、制御手段１２０Ｘは次のようなカメラ制御を行なう。
【００５９】
図１０は制御手段１２０Ｘによる制御動作の処理フローを示すフロー図である。以下図１０に示す各ステップに従って説明する。
【００６０】
ステップＳＴ１：θが４５°以上であるか否か判定される。４５°未満である場合はそのまま待機状態となる。θが４５°以上になると、ステップＳＴ２ヘ進む。
【００６１】
ステップＳＴ２：電源がＯＮとなり、ステップＳＴ３ヘ進む。
【００６２】
ステップＳＴ３：レンズ繰り出し許可角度になったことから、撮影レンズ１１の繰り出しが行なわれ、ステップＳＴ４ヘ進む。
【００６３】
ステップＳＴ４：θが９０°以上であるか否か判定される。９０°未満である場合はそのまま待機状態となる。θが９０°以上になると、ステップＳＴ５ヘ進む。
【００６４】
ステップＳＴ５：θが９０°以上になり撮影・再生許可角度になったことから、撮影または再生が適時実行される。
【００６５】
ステップＳＴ６：撮影モードであるか否か判定される。撮影モードであると判定されると、ステップＳＴ７ヘ進む。
【００６６】
ステップＳＴ７：自分撮り範囲であるか否か判定される。自分撮り範囲であると判定されたときはステップＳＴ８ヘ進み、自分撮り範囲でないと判定されたときはステップＳＴ１０ヘ進む。
【００６７】
ステップＳＴ８：自分撮り表示処理がなされる。すなわち画像表示装置２０に表示される表示画像の向きを、撮影者姿勢が７０ｂである場合に対応して、上下反転させる等の処理が行なわれる。すなわち撮影者姿勢が７０ｂである場合は、他の撮影者姿勢７０ａ，７０ｃ，７０ｄとは異なり表示の天地方向を逆にしなければならないからである。なお表示画像を左右を逆にする鏡像反転処理を加えても良い。
【００６８】
ステップＳＴ９：ステップＳＴ６にて撮影モードでないと判定されたとき、再生処理が行なわれる。再生処理が終了すると、ステップＳＴ１０ヘ進む。
【００６９】
ステップＳＴ１０：θが９０°以下であるか否か判定される。９０°以下でない場合はステップＳＴ６に戻る。θが９０°以下である場合は、撮影終了であると判断し、ステップＳＴ１１ヘ進む。
【００７０】
ステップＳＴ１１：撮影レンズ１１の引き込みが行なわれ、ステップＳＴ１２ヘ進む。
【００７１】
ステップＳＴ１２：電源がＯＦＦとされ、一連の制御動作が終了する。
【００７２】
（第２実施形態）
図１１（ａ）（ｂ）（ｃ）は、本発明の第２実施形態に係るカメラの構成を示す斜視図である。
【００７３】
この第２実施形態が前記第１実施形態と異なる主たる点は、移動手段３０がカメラ本体１０の側面に備えられ、画像表示装置２０を前記カメラ本体１０の底面１０ｄに垂直な軸を中心として回動させるように構成された点である。
【００７４】
本実施形態における移動手段３０は、一端部が前記カメラ本体１０に対し当該カメラ本体１０の底面１０ｄに垂直な軸ＢＸ１を中心として回動可能な如く軸支された第１の連結部材３０１と、一端部が上記第１の連結部材３０１の他端部に対し前記カメラ本体１０の底面１０ｄに垂直な軸ＢＸ２を中心として回動可能な如く軸支された第２の連結部材３０２とを備えている。そして第２の連結部材３０２の他端部に、カメラ本体１０の底面１０ｄに平行な軸ＣＸ１を中心として画像表示装置２０が回動可能に軸支されている。
【００７５】
図１２（ａ）（ｂ）（ｃ）は、撮影時における画像表示装置２０の相対移動を含むカメラ態様を示す図である。同図（ａ）および同図（ｃ）は、画像表示装置２０が カメラ本体１０の前面及び背面にそれぞれ当接した状態を示すカメラ上面から見た平面図である。同図（ｂ）は、α＝９０°固定で、β＝０°、β＝９０°、β＝１８０°とした場合の画像表示装置２０の三状態を示すカメラ上面から見た平面図である。ここで特徴的なことは、第２の連結部材３０２に対して、画像表示装置２０を破線で示すように、軸ＣＸ１を中心として適時回動操作することが可能な点である。
【００７６】
上記カメラにおいては、画像表示装置２０がカメラ本体１０の横方向に回動可能であるので、カメラ本体１０を三脚に設置した場合においても、画像表示装置２０が周辺の部材によってその回動を妨げられるおそれがない。また、上記カメラにおいては、画像表示装置２０を横方向に回動させるものでありながら、軸ＣＸ１を中心として当該画像表示装置２０を縦方向にも回動させる事ができる。このためローアングル撮影やハイアングル撮影等も容易に行なえる。
【００７７】
画像表示装置２０がカメラ本体の前面に当接した状態（ａ）では、画像表示装置２０がカメラ本体の左側面部に設けられたグリップ部１３の右側面に密着するよう隣接し、画像表示装置２０とグリップ部１３は連続した外観面を構成する。そして、画像表示装置２０がカメラ本体の背面に当接した状態では、図１１（Ｃ）に示すように、グリップ部１３の右側面が開放されて、グリップ部１３が把持可能な形状になる。
【００７８】
（実施形態における特徴点)
［１］実施形態に示されたカメラは、
カメラ本体１０と、
前記カメラ本体１０の前面に設けられた撮影レンズ１１と、
前記撮影レンズ１１を通して得られる撮影画像を表示する画像表示装置２０と、
前記画像表示装置２０を前記カメラ本体１０の前面側にある前面位置と背面側にある背面位置との間を移動させる移動手段３０と、
を備え、
前記画像表示装置２０は、前記前面位置に移動したときは、表示面２１を前記カメラ本体１０の前面１０aに対向させて前記撮影レンズ１１を覆うように配置され、前記背面位置に移動したときは、当該表示面２１を露出させるような向きに配置されることを特徴とする。
【００７９】
上記カメラにおいては、画像表示装置２０がレンズバリアとして利用されるので、専用レンズバリアが不要になる。したがって、カメラの小型化に寄与する。しかも通常の撮影時においては、画像表示装置２０はカメラ本体１０の背面位置にある。このため、従来同様にコンパクトな態様で使用することができる。
【００８０】
［２］実施形態に示されたカメラは、前記［１］に記載のカメラであって、
前記移動手段３０は、前記画像表示装置２０を、前記前面位置と前記背面位置との間を略３６０°の角度範囲にわたり回動させると共に、前記画像表示装置２０の上端面のカメラ本体底面１０ｄからの高さＨが、前記カメラ本体１０の前面位置と背面位置とで略同一の高さとなるように位置設定する手段を備えていることを特徴とする。
【００８１】
上記カメラにおいては、カメラ前後の形態のバランスが良いものとなる。
【００８２】
［３］実施形態に示されたカメラは、前記［１］に記載のカメラであって、
前記移動手段３０は、前記画像表示装置２０を、前記前面位置と前記背面位置との間を略３６０°の角度範囲にわたり回動させると共に、前記画像表示装置２０の上端面が、前記カメラ本体１０の前面位置及び背面位置の何れにおいても、前記カメラ本体の上面１０Cと外観的に連続するように設定する手段を備えていることを特徴とする。
【００８３】
上記カメラにおいては、画像表示装置２０がカメラ本体１０の前面位置においても背面位置においても、その表面がカメラ本体１０の表面と連続した状態を呈し、カメラ本体１０との一体感が得られる。したがってカメラ全体の外観が優れたものとなる。
【００８４】
［４］実施形態に示されたカメラは、前記［１］又は［２］又は［３］に記載のカメラであって、
前記カメラ本体１０の前面位置にある前記画像表示装置２０の外観面が、前記カメラ本体１０の側面に設けられたグリップ部１３の外観面と連続するように設定されていることを特徴とする。
【００８５】
［５］実施形態に示されたカメラは、前記［１］ないし［４］のいずれか一つに記載のカメラであって、
前記移動手段３０は前記カメラ本体１０の底部１０ｄに備えられたことを特徴とする。
【００８６】
上記カメラにおいては、移動手段３０がカメラ本体１０の底部１０ｄにあるので、デザイン的処理が容易になる。
【００８７】
［６］実施形態に示されたカメラは、前記［１］に記載のカメラであって、
前記移動手段３０は、前記カメラ本体１０の底部１０ｄを経由して、前記画像表示装置２０を、前記前面位置と前記背面位置との間を略３６０°の角度範囲にわたり回動させる手段を備えていることを特徴とする。
【００８８】
［７］実施形態に示されたカメラは、前記［５］に記載のカメラであって、
前記移動手段３０は、前記カメラ本体１０の横幅方向と平行な軸(ＡＸ１、ＡＸ２)を中心として回動可能に設けられ、一端部が前記カメラ本体１０に回動可能に軸支され、他端部が前記画像表示装置２０に回動可能に軸支された連結部材３１を備えたものであることを特徴とする。
【００８９】
［８］実施形態に示されたカメラは、前記［６］に記載のカメラであって、
前記連結部材３１は、前記カメラ本体１０と当該カメラ本体１０に付加されるアクセサリ（カメラスタンド４０等）とを電気的に接続するための接続手段（コネクタ３２等）を備えていることを特徴とする。
【００９０】
上記カメラにおいては、カメラ本体１０の底部に出現する連結部材３１を、アクセサリ（カメラスタンド４０等）との接続手段３２として有効活用できる。
【００９１】
［９］実施形態に示されたカメラは、前記［８］に記載のカメラであって、
前記接続手段は、前記画像表示装置２０が前記前面位置にあるとき、前記カメラ本体１０の底面１０ｄに対向し、前記画像表示装置２０が前記背面位置にあるとき、前記カメラ本体１０の外部に露出する前記連結部材３１の一面に設けられていることを特徴とする。
【００９２】
上記カメラにおいては、連結部材３１を接続手段として用いた状態において、カメラ本体１０の背面位置にある画像表示装置２０を画像確認モニターとして使用できるものとなる。
【００９３】
［１０］実施形態に示されたカメラは、前記［８］に記載のカメラであって、
前記接続手段は、前記画像表示装置２０が前記前面位置にあるときに遮蔽され、前記画像表示装置２０が前記背面位置にあるときには露出されるように前記カメラ本体１０の表面部分に設けられていることを特徴とする。
【００９４】
［１１］実施形態に示されたカメラは、前記［１］ないし［１０］のいずれか一つに記載のカメラであって、
前記移動手段３０によって変化する前記画像表示装置２０の姿勢に応じて、前記カメラ本体１０のカメラ動作を制御する制御手段１００を備えたことを特徴とする。
【００９５】
上記カメラにおいては、画像表示装置２０の姿勢(回動角や向き)が変わると、それに応じてカメラ動作が適切に自動制御される。したがって撮影者は煩雑なマニュアル操作をその都度行なわなくて良い。
【００９６】
［１２］実施形態に示されたカメラは、前記［１１］に記載のカメラであって、
前記制御手段１２０Ｘは、前記画像表示装置２０の姿勢に応じて、前記撮影レンズ１１の前記カメラ本体１０前方への繰り出し動作を制御する手段を含むことを特徴とする。
【００９７】
上記カメラにおいては、撮影レンズ１１の繰り出し動作のタイミングが適正に制御されるため、撮影レンズ１１の無断突出による他部材との衝突を防止できる。
【００９８】
［１３］実施形態に示されたカメラは、前記［１１］に記載のカメラであって、
前記制御手段１２０Ｘは、前記画像表示装置２０の姿勢に応じて、当該画像表示装置２０に表示される表示画像の向きを可変制御する手段を含むことを特徴とする。
【００９９】
上記カメラにおいては、画像表示装置２０の姿勢の変化に伴って表示面の向きが変わっても(例えば自分撮りを行なう場合、表示面の向きは上下逆さまとなる)、表示画像の向きは自動的に正常な表示向きに可変制御される。
【０１００】
［１４］実施形態に示されたカメラは、前記［１１］に記載のカメラであって、
前記制御手段１２０Ｘは、前記カメラ本体１０に対する前記連結部材３１の回動角(α)および前記連結部材３１に対する前記画像表示装置２０の回動角(β)に基づいて前記画像表示装置２０の姿勢を検知する検知手段(エンコーダー１３１，１３２等)と、この検知手段で検知された姿勢に応じて前記カメラ本体１０のカメラ動作を制御する手段１２０Ｘとを含んでいることを特徴とする。
【０１０１】
上記カメラにおいては、画像表示装置２０の姿勢を検知手段(エンコーダー１３１，１３２等)によって的確に検知できるため、適切なカメラ制御を行なえる。
【０１０２】
［１５］実施形態に示されたカメラは、前記［１］ないし［１４］のいずれか一つに記載のカメラであって、
前記画像表示装置２０の表示面が設けてある面に、操作部材（上下反転表示ボタン２２等）が配置されていることを特徴とする。
【０１０３】
上記カメラにおいては、表示面はカメラ使用時に露出される面なので、良好な操作性が得られる。しかも空きスペースの有効活用がはかれるため、操作部材がカメラ本体１０にだけ配置される場合に比べて、スペース的に余裕をもって配置する事ができる。
【０１０４】
［１６］実施形態に示されたカメラは、前記［１］ないし［４］のいずれか一つに記載のカメラであって、
前記移動手段３０は、前記カメラ本体１０の側面に備えられ、前記画像表示装置２０を前記カメラ本体１０の底面１０ｄに垂直な軸を中心として回動させる如く設けられていることを特徴とする。
【０１０５】
上記カメラにおいては、画像表示装置２０がカメラ本体１０の横方向に回動するので、カメラ本体１０を三脚に設置した場合においても、画像表示装置２０が周辺の部材によって回動を妨げられるおそれがない。
【０１０６】
［１７］実施形態に示されたカメラは、前記［１６］に記載のカメラであって、
前記移動手段３０は、一端部が前記カメラ本体１０に対し当該カメラ本体１０の底面１０ｄに垂直な軸を中心として回動可能な如く軸支された第１の連結部材３０１と、一端部が上記第１の連結部材３０１の他端部に対し前記カメラ本体１０の底面１０ｄに垂直な軸を中心として回動可能な如く軸支された第２の連結部材３０２とを備え、前記第２の連結部材３０２は、その他端部に、前記画像表示装置２０を前記カメラ本体１０の底面１０ｄに平行な軸を中心として回動可能に軸支する手段ＣＸ１を備えていることを特徴とする。
【０１０７】
上記カメラにおいては、画像表示装置２０を横方向に回動させるものでありながら、当該画像表示装置２０を縦方向にも回動させ得る為、ローアングル撮影やハイアングル撮影も容易に行なえるものとなる。
【０１０８】
［１８］実施形態に示されたカメラシステムは、
カメラ４０と、当該カメラ４０を載置可能で当該カメラ４０が載置されたとき当該カメラ４０と電気的な接続がなされるアクセサリ（カメラスタンド等）５０とからなるカメラシステムＣＳにおいて、
前記カメラ４０は、カメラ本体１０と、このカメラ本体１０の前面に設けられた撮影レンズ１１と、この撮影レンズ１１を通して得られる撮影画像を表示する画像表示装置２０と、一端が前記カメラ本体１０に対し回動可能に軸支され、他端が前記画像表示装置２０に対し回動可能に軸支された連結部材３１を介して、前記画像表示装置２０を前記カメラ本体１０の前面位置と前記カメラ本体１０の背面位置との間を移動させる移動手段３０とを備え、
前記移動手段３０における前記連結部材３１は、前記アクセサリ（カメラスタンド等）５０に接続されるカメラ４０側の接続手段（コネクタ３２）を備えていることを特徴とする。
【０１０９】
［１９］実施形態に示されたカメラは、前記［１］に記載のカメラであって、
前記カメラ本体１０の側部には、
一方の面がカメラ本体１０前面位置にある前記画像表示装置２０に隣接し、当該画像表示装置２０のカメラ本体１０前面位置から背面位置への移動によって前記隣接する面が開放され把持可能な状態となるグリップ部１３が備えられている、
ことを特徴とする。
【０１１０】
上記カメラにおいては、把持部分を残した前面部分を画像表示装置として回動するようにしたので、撮影状態への移動によって自動的に把持する部分が出現して、撮影の安定が計られる。
【産業上の利用可能性】
【０１１１】
本発明を用いることによって、専用のレンズバリアが不要になりカメラの小型化に寄与でき、通常の撮影時においては従来同様にコンパクトな態様で使用できる等の利点を有するカメラ及びカメラシステムを安定に供給可能となる。
【図面の簡単な説明】
【０１１２】
【図１】（ａ）（ｂ）（ｃ）は本発明の第１実施形態に係るカメラの構成(画像表示装置をカメラ本体の前面位置から下方へ移動した状態)を示す図で、（ａ）は上面図、（ｂ）は正面図、（ｃ）はカメラ正面から見て右側面を一部破断して示す右側面図である。
【図２】本発明の第１実施形態に係るカメラの構成(画像表示装置をカメラ本体の前面位置にセットした状態)を示す正面図である。
【図３】本発明の第１実施形態に係るカメラの構成(画像表示装置をカメラ本体の背面位置にセットした状態)を示す背面図である。
【図４】本発明の第１実施形態に係るカメラ（カメラ本体＋画像表示装置＋移動手段）をアクセサリとしてのカメラスタンドに適時載置し得るように構成したカメラシステムを示す図であって、（ａ）は同カメラをカメラスタンドに載置する直前の状態を示棲斜視図、（ｂ）は同カメラをカメラスタンドに載置した状態を示す斜視図である。
【図５】本発明の第１実施形態に係るカメラ本体に対する画像表示装置の姿勢（回動角）についての定義付け行なうために示した図である。
【図６】（ａ）（ｂ）は本発明の第１実施形態に係る画像表示装置が カメラ本体の前面及び背面にそれぞれ当接した状態を示す側面図である。
【図７】（ａ）（ｂ）は本発明の第１実施形態に係るカメラの撮影時における画像表示装置の相対移動を含むカメラ態様を示す図である。
【図８】（ａ）（ｂ）は本発明の第１実施形態に係るカメラの再生時における画像表示装置の相対移動を含むカメラ態様を示す図であって、（ａ）はカメラ背面を下にして置き台上に載置した場合の態様を示す図、（ｂ）はカメラ前面を下にして置き台上に載置した場合の態様を示棲図である。
【図９】本発明の第１実施形態に係るカメラシステムの構成を示すブロック図である。
【図１０】本発明の第１実施形態に係る制御手段による制御動作の処理フローを示すフロー図である。
【図１１】（ａ）（ｂ）（ｃ）は本発明の第２実施形態に係るカメラの構成を示す斜視図である。
【図１２】（ａ）（ｂ）（ｃ）は本発明の第２実施形態に係るカメラの撮影時における画像表示装置の相対移動を含むカメラ態様を示す図である。
【図１３】本発明の第１実施形態に係るカメラの接続手段の変形例を示す斜視図である。
【図１４】（ａ）（ｂ）（ｃ）は本発明の第１実施形態の変形例１に係るカメラの構成を示す正面図で、（ａ）は画像表示装置をカメラの前面位置にセットした状態、（ｂ）は画像表示装置をカメラの前面位置から下方へ移動した状態、（ｃ）はカメラの上面を示す図である。
【図１５】（ａ）（ｂ）（ｃ）は本発明の第１実施形態の変形例２に係るカメラの構成を示す正面図で、（ａ）は画像表示装置をカメラの前面位置にセットした状態、（ｂ）は画像表示装置をカメラの前面位置から下方へ移動した状態、（ｃ）はカメラの上面を示す図である。
【符号の説明】
【０１１３】
１０…カメラ本体、２０…画像表示装置、３０…移動手段、３１…連結部材、３２…コネクタ、ＡＸ１，ＡＸ２…軸、ＣＳ…カメラシステム、４０…カメラ、５０…カメラスタンド、α…カメラ本体に対する連結部材の相対移動角度、β…連結部材に対する画像表示装置の相対移動角度、θ…α＋β、３０１…第１の連結部材、３０２…第２の連結部材。
【図１】
2005176290.tif 000003
【図２】
2005176290.tif 000004
【図３】
2005176290.tif 000005
【図４】
2005176290.tif 000006
【図５】
2005176290.tif 000007
【図６】
2005176290.tif 000008
【図７】
2005176290.tif 000009
【図８】
2005176290.tif 000010
【図９】
2005176290.tif 000011
【図１０】
2005176290.tif 000012
【図１１】
2005176290.tif 000013
【図１２】
2005176290.tif 000014
【図１３】
2005176290.tif 000015
【図１４】
2005176290.tif 000016
【図１５】
2005176290.tif 000017